(57)【要約】【課題】本件は磁気ディスク装置等の記憶装置およびその記憶装置に備えられるプレートに関し、プレートの、回転方向下流側先端部分の振動を有効に、かつ安定的に抑制する。【解決手段】プレート１８が、記憶媒体２０の回転方向下流側端部の、記憶媒体周面から外側に食み出した位置に設けられたブロック１８４と、ブロック１８４から横および上に延びたプレートアーム１８５とを有し、ブロック１８４は、そのブロック下面が基体１２又は下段に置かれたプレート１８のブロック１８４上面に載り、プレートアーム１８５は、最上段に置かれたプレート１８のプレートアーム１８５上端がカバー１１の内面に当接し、カバー１１に押されて弾性的に撓むアームである。【選択図】        図６
2010238329.tif 000002
【特許請求の範囲】
【請求項１】
基体と、
前記基体上に搭載され、記憶媒体を回転させる回転駆動部と、
前記記憶媒体の情報にアクセスするヘッドを搭載したアクチュエータと、
前記アクチュエータを駆動して、前記ヘッドを前記記憶媒体表面に沿って移動させるアクチュエータ駆動部と、
前記記憶媒体の上側又は下側で前記アクチュエータの移動範囲外の位置に配置されたプレートと、
前記基体上に被冠されるカバーとを備え、
前記プレートは、前記記憶媒体の回転方向下流側端部の該記憶媒体外周面の外側に設けられたブロックと、該ブロックから横および上に延びたプレートアームとを有し、前記ブロックは、該ブロック下面が前記基体又は下段に置かれたプレートの前記ブロック上面に載り、前記プレートアームは、最上段に置かれた前記プレートの該プレートアーム上端が前記カバー内面に当接し該カバーに押されて弾性的に撓むものであることを特徴とする記憶装置。
【請求項２】
前記プレートが、前記記憶媒体外周面に沿う外周面を有し平面視で円環の一部からなる板形状の部材であることを特徴とする請求項１記載の記憶装置。
【請求項３】
前記プレートが、前記記憶媒体周面に沿う複数箇所に、前記記憶媒体周面から外側に食み出して広がり前記基体に固定された固定部を有することを特徴とする請求項１又は２記載の記憶装置。
【請求項４】
基体と、前記基体上に搭載され、記憶媒体を回転させる回転駆動部と、前記記憶媒体の情報にアクセスするヘッドを搭載したアクチュエータと、前記アクチュエータを駆動して、前記ヘッドを前記記憶媒体表面に沿って移動させるアクチュエータ駆動部と、前記基体上に被冠されるカバーとを備えた記憶装置に搭載された前記記憶媒体の上側又は下側であって前記アクチュエータの移動範囲外に配置されるプレートであって、
前記記憶媒体の回転方向下流側端部の該記憶媒体周面から外側に食み出した位置に設けられたブロックと、該ブロックから横および上に延びたアームとを有し、前記ブロックは、該ブロック下面が前記基体又は下段に置かれた当該プレートの前記ブロック上面に載り、前記プレートアームは、最上段に置かれた当該プレートの該プレートアーム上端が前記カバー内面に当接し該カバーに押されて弾性的に撓むものであることを特徴とするプレート。
【請求項５】
当該プレートが、前記記憶媒体外周面に沿う外周面を有し、平面視で円環の一部からなる板形状の部材であることを特徴とする請求項４記載のプレート。
【請求項６】
前記記憶媒体周面に沿う複数箇所に、前記記憶媒体周面から外側に食み出して広がり前記基体に固定される固定部を有することを特徴とする請求項４又は５記載のプレート。
【発明の詳細な説明】
【技術分野】
【０００１】
本件は磁気ディスク装置等の記憶装置およびその記憶装置に備えられるプレートに関する。
【背景技術】
【０００２】
磁気ディスク装置では、記憶容量の大容化に伴い、円盤上の複数枚の磁気ディスク媒体が互いの間に所定間隔を空けた状態で重ねられ、一体的に回転駆動される構造が一般的となっている。また、磁気ディスク装置の記憶容量の大容量化による高速アクセス化にともない、磁気ディスク媒体を回転させるスピンドルモータの高速回転化が進んでいる。
【０００３】
しかし、磁気ディスク媒体が高速回転すると、磁気ディスク媒体の回転に伴う空気流も高速になり、それに起因する空気流の乱れによりアクチュエータへの風外乱が大きくなる。この風外乱は、磁気ヘッドを保持するアクチュエータアームの不要振動を誘発させ、その結果、磁気ヘッドの位置決め精度の低下が発生してしまう。
【０００４】
この問題の解決策として、複数枚の磁気ディスク媒体のうちの隣接する磁気ディスク媒体どうしの隙き間に、プレートと呼ばれる板状の部材が配置されることがある。このプレートは、磁気ディスク媒体の回転に伴う空気流の流量低減を目的としており磁気ヘッドによる磁気ディスク媒体のアクセスを円滑化ならしめるための部材である。
【０００５】
ここで、磁気ディスク媒体はアクチュエータアームの先端部に搭載された磁気ヘッドでアクセスされるため、プレートはそのアクチュエータアームの移動範囲内には配置することはできず、その移動範囲と重ならない位置に配置される。ただし、特に磁気ディスク媒体の回転方向下流側（アクチュエータ上流側）ではできる限りアクチュエータアームに近接した位置までプレートが広がっていることが好ましい。このプレートは、磁気ディスク装置の基体等に例えばネジ止め等により固定されるが、アクチュエータアームに近接した位置ではネジ等の固定部品がアクチュエータアームの移動の妨げとなるため、プレートはアクチュエータアームから離れた位置で固定される。すると、プレートはアクチュエータアームに近接した部分が片持ち梁形状となり空気流により上下に振動するなど、不安定な動きをして空気流を乱し、磁気ヘッドによる安定的なアクセスを妨げるおそれがある。
【０００６】
プレートの、磁気ディスク媒体の回転方向の最下流の位置に、磁気ディスク装置の基体とカバーとの双方を押圧することで突っ支い棒的な支持を行なってプレートの振動を抑制することが提案されている。
【０００７】
しかしながら、このような突っ支い棒的な支持を行なうと、部品の公差等でカバーとの間に隙き間が生じてしまい支持されないことが生じ得る。これを避けるために常に確実に支持されるように寸法を定めると、今度はカバーが下から突き上げられてカバーの変形や密閉不良の一因となるおそれがある。
【先行技術文献】
【特許文献】
【０００８】
【特許文献１】特開２００４−１５２３７３号公報
【特許文献２】特表２００５−５０９２３２号公報
【特許文献３】特開２００６−１２３３０号公報
【発明の概要】
【発明が解決しようとする課題】
【０００９】
本件の記憶装置およびプレートの課題は、プレートの、記憶媒体の回転方向下流側先端部分の振動を有効に、かつ安定的に抑制することにある。
【課題を解決するための手段】
【００１０】
本件開示の記憶装置は、基体、回転駆動部、アクチュエータ、アクチュエータ駆動部、プレート、およびカバーを備えている。
【００１１】
回転駆動部は、基体上に搭載され、記憶媒体を回転させる駆動部である。
【００１２】
アクチュエータは、記憶媒体の情報をアクセスするヘッドを搭載したアームである。
【００１３】
アクチュエータ駆動部は、アクチュエータを駆動して、ヘッドを記憶媒体表面に沿って移動させる駆動部である。
【００１４】
プレートは、記憶媒体の上側又は下側でアクチュエータの移動範囲外の位置に配置された部材である。
【００１５】
さらにカバーは、基体上に被冠される部材である。
【００１６】
ここで、プレートはブロックとプレートアームとを有する。
【００１７】
ブロックは、記憶媒体の回転方向下流側端部の、記憶媒体外周面の外側に設けられている。
【００１８】
また、プレートアームは、そのブロックから横および上に延びている。
【００１９】
ここで、このブロックは、そのブロック下面が基体又は下段に置かれたプレートのブロック上面に載り、プレートアームは、最上段に置かれたプレートのプレートアーム上端がカバー内面に当接しカバーに押されて弾性的に撓む。
【発明の効果】
【００２０】
本件によれば、カバーにプレートアーム上端が当接しており、そのプレートアームがカバーに押されて弾性的に撓む。このためカバーの変形や密閉不良を生じさせることなく常に突っ支え棒的な支持が維持されてプレートの振動が抑えられ、安定的なアクセスが可能となる。
【図面の簡単な説明】
【００２１】
【図１】本件の記憶装置の一実施形態としての磁気ディスク装置の外観斜視図である。
【図２】比較例の磁気ディスク装置の平面図である。
【図３】図２の矢印Ｃ−Ｃに沿う断面図である。
【図４】プレートの固定方法の説明図である。
【図５】図１に示す実施形態の磁気ディスク装置の平面図である。
【図６】図５の矢印Ｅ−Ｅに沿う断面図である。
【図７】図１に示す磁気ディスク装置の、プレート先端部分を示す斜視図である。
【図８】磁気ディスク装置の基体にプレートのみを搭載した状態を示す斜視図である。
【図９】プレート単体の斜視図（Ａ）と円Ｒ内の部分拡大図（Ｂ）である。
【図１０】プレート単体の、図９とは別の視点から見て示した斜視図（Ａ）と円Ｒ内の部分拡大図（Ｂ）である。
【発明を実施するための形態】
【００２２】
以下、本件の実施形態について説明する。
【００２３】
図１は、本件の記憶装置の一実施形態としての磁気ディスク装置の外観斜視図である。
【００２４】
この図１には、カバー１１や磁気ディスク媒体２０の一部を切り欠いて内部の構造を示した状態の磁気ディスク装置１０が示されている。
【００２５】
この図１には、磁気ディスク媒体２０は、その一部が切り欠かれた状態で示されているが、この磁気ディスク媒体２０は円盤状のものであって、本件にいう記憶媒体の一例である。この磁気ディスク装置１０には基体１２を、その磁気ディスク媒体２０を矢印Ａ方向に回転させるスピンドルモータ１３が備えられている。この磁気ディスク媒体２０は、ここに示す例では互いの間に所定間隔を空けて３枚重ねられている。スピンドルモータ１３は、それら３枚の磁気ディスク媒体を一体的に回転させる。
【００２６】
また、この磁気ディスク装置１０には、さらに先端側に磁気ヘッド１４を備えたアクチュエータアーム１５とそのアクチュエータアーム１５を回動中心軸１５１を中心に矢印Ｂ方向に回動させるボイスコイルモータ１６が備えられている。アクチュエータアーム１５が矢印Ｂ方向に回動すると、そのアクチュエータアーム１５の先端側に搭載される磁気ヘッド１４は、磁気ディスク媒体２０の表面に対面したロード領域と磁気ディスク媒体周面よりも外側に外れたアンロード位置との間で磁気ディスク媒体２０の表面に沿って移動する。アンロード位置には、このアンロード位置に移動してきたアクチュエータアーム１５の先端を支持するランプ１７が固定されている。アクチュエータアーム１５は、磁気ディスク媒体２０の枚数に合わせて複数本積み重なった形状を有しており、磁気ヘッド１４は各磁気デイスク媒体２０の表面と裏面それぞれに対応して１つずつ、合計６個搭載されている。ランプ１７は、複数本積み重なった形状のアクチュエータアーム１５の先端をそれぞれ支持する構造を有している。
【００２７】
また、この磁気ディスク装置１０には、隣接する磁気ディスク媒体どうしの間であってアクチュエータアーム１５の回動の妨げにならない位置にプレート１８が置かれている。このプレート１８は、磁気ディスク媒体２０の外周面に沿う外周面を有し平面視で円環の一部からなる板形状の部材である。磁気ディスク媒体２０は間を空けて３枚重ねられている。したがってプレート１８は、それら３枚の磁気ディスク媒体２０のうちの下の磁気ディスク媒体と中央の磁気ディスク媒体との間に１枚、中央の磁気ディスク媒体と上の磁気ディスク媒体との間に１枚の、合計２枚配置されている。このプレート１８は、磁気ディスク媒体２０の周面に沿う複数箇所（この実施形態では３箇所）に、磁気ディスク媒体２０の周面から外側に含み出して広がりネジ１９でのネジ止めにより基体１２に固定された固定部１８１を有する。
【００２８】
この磁気ディスク装置１０のカバー１１は、この図１では切り欠かれて一部のみ示されているが、上記の内容物全体を覆う板状の部材である。
【００２９】
ここで一旦、本件の実施形態を離れ、比較例について説明する。図２は、比較例の磁気ディスク装置１０Ａの平面図である。また図３は、図２に示す磁気ディスク装置１０Ａの、矢印Ｃ−Ｃに沿う断面図である。
【００３０】
これら図２、図３において、図１に示した本件の一実施形態の磁気ディスク装置１０の構成要素に対応する構成要素には、図１において付した符号と同じ符号に‘Ａ’を添えて示し、説明は後述する実施形態との対比に必要な点のみにとどめる。
【００３１】
プレート１８Ａは、アクチュエータアーム１５Ａの回動を妨げない位置に広がっている。このプレート１８Ａは、磁気ディスク媒体２０Ａの回転方向下流側についてはできる限りアクチュエータアーム１５Ａに近接する位置まで延長されていることが好ましい。この延長によって、磁気ディスク媒体２０Ａの回転に起因する風による外乱がアクチュエータアーム１５にできるだけ影響を与えないようにすることができる。
【００３２】
ただし、プレート１８Ａの、アクチュエータアーム１５Ａに最接近した先端１８２Ａにネジ止め用のスペースを割くことは難しく、図２に示すように再接近した先端１８２Ａよりも少し下がった位置に固定部１８１を設け、その固定部１８１がネジ止めされている。
【００３３】
この場合、図３に示すように、プレート１８Ａの先端１８２Ａの高さのばらつきや風外乱により、Ｄ−Ｄ方向への振動が生じ、ネジ止めされた固定部１８１Ａからあまり長くは延長できない。また、このプレート１８Ａの材料に樹脂を使用した場合、先端１８２Ａを延長すると環境温度差等によるそりの問題も生じる。
【００３４】
図４は、プレートの固定方法の説明図である。
【００３５】
図４（Ａ）は、図３にも示した固定方法であり、ネジ１９Ａによるネジ止めでプレート１８Ａを基体１２Ａに固定している。
【００３６】
図４（Ｂ）は、プレート１８Ａの一部（固定部）を磁気ディスク媒体周面よりも外側に広げてその外側に広げた部分に図示のようなブロック１８３Ａが形成されている。ここではそのブロック１８３Ａを積み重ねて、基体１２Ａとカバー１１Ａとの間に突っ支え棒的な柱を形成することでプレート１８Ａをネジ止めなしに固定している。
【００３７】
この図４（Ｂ）に示すように、プレート１８Ａは必ずしもネジ止めしなくても固定することができる。
【００３８】
そこで、この図４（Ｂ）の固定法をプレート１８Ａの先端位置１８２Ａ(図３参照)に適用し、その位置にアクチュエータアーム１５Ａの動きを妨げない程度の寸法のブロックを形成して積み重ね、基体１２Ａとカバー１１Ａとの間に柱を形成してその先端位置１８２Ａを支持することが考えられる。
【００３９】
しかしながらこのような支持方法を採用すると、プレート１８Ａの先端位置１８２Ａを確実に支持するには、積み上げたブロック１８３Ａの上端でカバーを確実に押す必要があり、カバーの変形が生じたり、カバーを完全には閉じることができずに密閉不良を生じるおそれがある。
【００４０】
本実施形態は、この問題を解決したものである。以下、本件の実施形態の説明に戻る。
【００４１】
図５は、図１に示す本実施形態の磁気ディスク装置１０の平面図である。
【００４２】
図５に示すように、プレート１８の先端１８２は、図２の比較例と比べ、アクチュエータアーム１５の動きを妨げない程度にアクチュエータアーム１５に近接する位置まで広がっている。
【００４３】
図６は、図５の矢印Ｅ−Ｅに沿う断面図である。また、図７は、図１に示す磁気ディスク装置１０の、プレート先端部分を示す斜視図である。
【００４４】
さらに、図８は、磁気ディスク装置１０の基体１２にプレート１８のみを搭載した状態を示す斜視図である。また図９、図１０は、プレート単体をそれぞれ別の視点から見て示した斜視図（Ａ）と円Ｒ内の部分拡大図（Ｂ）である。
【００４５】
プレート１８の先端１８２には、磁気ディスク媒体２０の周面から外側に含み出した位置にブロック１８４が設けられており、さらにそのブロック１８４から横に延びてさらに上に延びたプレートアーム１８５を有する。ブロック１８４は図６に示すようにその下面１８４ｂが基体１２に載り、又は、下段に置かれたプレート１８のブロック１８４の上面１８４ａに載る。また、プレートアーム１８５は、そのプレート１８が最上段（ここでは２段のうちの上段）に置かれたときに、そのプレートアーム１８８の上端１８５ａがカバー１１の内面に当接する。このプレートアーム１８は、製造ばらつきがあってもカバー１１の内面に確実に当接する寸法を有している。そしてこのプレートアーム１８５はカバー１１によって押されて弾性的に撓むように形成されている。
【００４６】
このプレートアーム１８５は最上段（ここでは上段）に置かれたプレート１８以外は作用をなさないが、全段（ここでは２段）のプレート１８の全てについてプレートアーム１８５を形成することでプレート１８を作製するための金型を共通化している。
【００４７】
このブロック１８４は、ネジ止め用の固定部１８１と比べ、磁気ディスク媒体２０の周面からの含み出し量が小さくて済み、アクチュエータアーム１５の動作を妨げることなく配置することができる。
【００４８】
また、この積み重ねたブロック１８４と最上段のプレートアーム１８５とにより、基体１２とカバー１１との間に突っ支え棒的な柱が形成されプレート１８の先端１８２の振動が抑えられる（図３参照）。このため、プレート１８の先端１８２を、アクチュエータアーム１５の動きを妨げない程度にアクチュエータアーム１５に近接する位置まで延長することができる。このため、空気流によるアクチュエータアーム１５等の振動を抑え、磁気ディスク媒体２０を安定的にアクセスすることが可能となる。
【００４９】
また、最上段のプレート１８のプレートアーム１８５はカバー１１に押されると弾性的に撓むため、カバー１１の変形やカバー１１による密閉不良も抑えられる。
【００５０】
尚、ここでは磁気ディスク装置について説明したが、本件は、磁気ディスク装置に限らず、互いに離間した状態に重ねられた円盤状の複数枚の記憶媒体を一体的に回転させる形態の記憶装置一般に採用することができる。
【符号の説明】
【００５１】
１０，１０Ａ    磁気ディスク装置
１１，１１Ａ    カバー
１２，１２Ａ    基体
１３    スピンドルモータ
１４    磁気ヘッド
１５，１５Ａ    アクチュエータアーム
１７    ランプ
１８，１８Ａ    プレート
１９Ａ    ネジ
２０    磁気ディスク媒体
１１０    カバー
１８１，１８１Ａ    固定部
１８２，１８２Ａ    先端
１８３Ａ，１８４    ブロック
１８４ａ    ブロック上面
１８４ｂ    ブロック下面
１８５    プレートアーム
１８５ａ  アーム上端
【図１】
2010238329.tif 000003
【図２】
2010238329.tif 000004
【図３】
2010238329.tif 000005
【図４】
2010238329.tif 000006
【図５】
2010238329.tif 000007
【図６】
2010238329.tif 000008
【図７】
2010238329.tif 000009
【図８】
2010238329.tif 000010
【図９】
2010238329.tif 000011
【図１０】
2010238329.tif 000012